(57)【要約】【課題】ステアリングスイッチのスイッチ部に、直感的で簡単に実行可能な機能を割り付けることができるスイッチ装置を提供する。【解決手段】車両１０のステアリングコラム２０に回転可能に支持されたステアリング３０の一部に設けられ、押下動作によりスイッチ動作するスイッチ部を有するステアリングスイッチ１００と、ステアリングスイッチ１００の各スイッチ部に対して実行可能な機能を割り付ける機能割付部２０１と、ステアリングコラム上に設けられた表示部に実行可能な機能を表示するコラム上ディスプレイ３００と、を有して構成する。【選択図】図３
2010105610.tif 000002
【特許請求の範囲】
【請求項１】
車両のステアリングコラムに回転可能に支持されたステアリングの一部に設けられ、押下動作によりスイッチ動作するスイッチ部を有するステアリングスイッチと、
前記ステアリングスイッチのスイッチ部に対して実行可能な機能を割り付ける機能割付部と、を有し、
前記機能割付部は、前記実行可能な機能が割り付けられるスイッチ部の押下動作を含む操作により前記機能の割り付けを行なうことを特徴とするスイッチ装置。
【請求項２】
車両のステアリングコラムに回転可能に支持されたステアリングの一部に設けられ、押下動作によりスイッチ動作するスイッチ部を有するステアリングスイッチと、
前記ステアリングスイッチのスイッチ部に対して実行可能な機能を割り付ける機能割付部と、
前記ステアリングコラム上に設けられた表示部に前記実行可能な機能を表示するコラム上ディスプレイと、を有し、
前記機能割付部は、前記実行可能な機能が割り付けられるスイッチ部の押下動作を含む操作、および、前記コラム上ディスプレイ上に表示された前記実行可能な機能を前記ステアリングスイッチのスイッチ部の操作により前記機能の割り付けを行なうことを特徴とするスイッチ装置。
【請求項３】
前記ステアリングスイッチは、少なくとも３以上のスイッチ部を有して構成されていることを特徴とする請求項１または２に記載のスイッチ装置。
【発明の詳細な説明】
【技術分野】
【０００１】
本発明は、スイッチ装置に関する。
【背景技術】
【０００２】
車両のステアリングに設けられ、操作ボタンを押下げすることにより種々の車載機器の制御を可能にするステアリングスイッチがある。この種のステアリングスイッチは、個々の操作ボタンに対して押下げにより実行可能な機能が予め割り付けられているものが多い。これに対して、ステアリングスイッチのそれぞれの操作ボタンにユーザの好みに応じた実行可能な機能を自由に割り付けることができるステアリングスイッチ装置が提案されている（例えば、特許文献１参照）。
【０００３】
特許文献１のスイッチ装置によれば、ユーザが操作スイッチを操作することで、センタークラスタＰＣに記憶された複数のステアリングスイッチ機能コードの中からステアリングスイッチ群に割り付けるステアリングスイッチ機能コードが選択できる。この割り付け後に、ユーザが、ステアリングスイッチを押下すると、センタークラスタＰＣにおいて、押下されたステアリングスイッチに割り付けられた機能が、ステアリングスイッチ機能コードを参照して特定され、それに応じた制御対象に制御信号が出力される。また、センタークラスタディスプレイやヘッドアップディスプレイによりフロントガラス上に上記のステアリングスイッチに割り付けられた割り付け機能図が表示される。
【特許文献１】特開平１０−３０８１３６号公報
【発明の開示】
【発明が解決しようとする課題】
【０００４】
しかし、特許文献１のスイッチ装置によると、ステアリングスイッチの機能割付はセンタークラスタＰＣによりセンタークラスタディスプレイ上の表示を参照しながらセンタークラスタ上の操作スイッチ群を操作することにより行なわれる。従って、機能割付がされるステアリングスイッチから離れたセンタークラスタ上での機能操作となり、また、ステアリングスイッチから離れたセンタークラスタディスプレイ上の表示を参照しながら機能割付操作するので直感的な設定が容易ではなく、また、設定方法を覚えにくい。
【０００５】
従って、本発明の目的は、ステアリングスイッチのスイッチ部に、直感的で簡単に実行可能な機能を割り付けることができるスイッチ装置を提供することにある。
【課題を解決するための手段】
【０００６】
［１］本発明は、車両のステアリングコラムに回転可能に支持されたステアリングの一部に設けられ、押下動作によりスイッチ動作するスイッチ部を有するステアリングスイッチと、前記ステアリングスイッチのスイッチ部に対して実行可能な機能を割り付ける機能割付部と、を有し、前記機能割付部は、前記実行可能な機能が割り付けられるスイッチ部の押下動作を含む操作により前記機能の割り付けを行なうことを特徴とするスイッチ装置を提供する。
【０００７】
［２］本発明は、車両のステアリングコラムに回転可能に支持されたステアリングの一部に設けられ、押下動作によりスイッチ動作するスイッチ部を有するステアリングスイッチと、前記ステアリングスイッチのスイッチ部に対して実行可能な機能を割り付ける機能割付部と、前記ステアリングコラム上に設けられた表示部に前記実行可能な機能を表示するコラム上ディスプレイと、を有し、前記機能割付部は、前記実行可能な機能が割り付けられるスイッチ部の押下動作を含む操作、および、前記コラム上ディスプレイ上に表示された前記実行可能な機能を前記ステアリングスイッチのスイッチ部の操作により前記機能の割り付けを行なうことを特徴とするスイッチ装置を提供する。
【０００８】
［３］前記ステアリングスイッチは、少なくとも３以上のスイッチ部を有して構成されていることを特徴とする上記［１］または［２］に記載のスイッチ装置であってもよい。
【発明の効果】
【０００９】
本発明によれば、ステアリングスイッチのスイッチ部に、直感的で簡単に実行可能な機能を割り付けることができるスイッチ装置を提供することができる。
【発明を実施するための最良の形態】
【００１０】
（本発明の実施の形態）
図１は、ステアリングスイッチを有する車両内部の斜視図である。図２は、図１におけるステアリング付近を拡大した拡大図である。図３は、本発明の実施の形態に係るスイッチ装置１の概略ブロック構成図である。図４は、本発明の実施の形態に係るスイッチ装置１の動作を説明するためのフローチャートである。図５は、ステアリングスイッチ１００の押下動作時のコラム上ディスプレイ３００上の表示部３０１の表示例を示す部分平面図である。
【００１１】
（スイッチ装置１の構成）
本発明の実施の形態に係るスイッチ装置１は、車両１０のステアリングコラム２０に回転可能に支持されたステアリング３０の一部に設けられ、押下動作によりスイッチ動作するスイッチ部を有するステアリングスイッチ１００と、ステアリングスイッチ１００の各スイッチ部に対して実行可能な機能を割り付ける機能割付部２０１と、ステアリングコラム上に設けられた表示部に実行可能な機能を表示するコラム上ディスプレイ３００と、を有して概略構成されている。
【００１２】
ステアリングスイッチ１００は、車両１０のステアリングコラム２０に回転可能に支持されたステアリング３０の一部に設けられ、運転者がステアリングホイール３１を把持した状態で指等により押下動作できる状態で設けられている。図１、２では、ステアリング３０の左右２箇所に設けられ、それぞれのステアリングスイッチ１００には図２で示すように第１スイッチ部１０１、第２スイッチ部１０２、第３スイッチ部１０３の３つのスイッチ部が設けられている。尚、ステアリングスイッチの配置位置はステアリング３０の左右には限られず、また、ステアリングスイッチを構成するスイッチ部は３つ以外であってもよい。
【００１３】
図３は、スイッチ装置１の概略ブロック構成図である。上記したステアリングスイッチ１００は、スイッチ装置１の制御全般を行なうステアリングスイッチＥＣＵ(Electronic Control Unit)２００に接続されている。ステアリングスイッチＥＣＵ２００には、ステアリングスイッチ１００に割り付けられる実行可能な機能の内容を表示するためのコラム上ディスプレイ３００が接続されている。また、ステアリングスイッチＥＣＵ２００には、ステアリングスイッチ１００に機能割り付け可能な車載機器、例えば、オーディオ機器４０１、オートウインドウ装置４０２、フューエルリッド開閉装置４０３、カーナビゲーション４０４、エアコン装置４０５、・・・・・等の車載機器がＣＡＮ(Controller Area Network)、ＬＩＮ(Local Interconnect Network)等の通信ライン４００により接続されている。
【００１４】
コラム上ディスプレイ３００は、図１、２に示すように、ステアリングコラム２０の一部に設けられた表示装置であり、液晶表示装置が表示部３０１として運転者がステアリングホイール３１を把持した状態で容易に視認できる位置に配置されている。このコラム上ディスプレイ３００は、ステアリングコラム２０に設けられているので、インスツルメントパネル１１の中央付近に設けられるセンタークラスタディスプレイ１２等に比較して、ステアリングスイッチ１００に最も近くに位置し、視線移動することなく容易に視認できる表示装置である。コラム上ディスプレイ３００には種々の表示が可能であるが、例えば、オーディオ機器４０１、・・・・・等の車載機器の制御モード、制御メニュー等が表示可能である。
【００１５】
ステアリングスイッチＥＣＵ２００は、スイッチ装置１の制御全般を行なうが、機能割付部２０１を有しており、ステアリングスイッチ１００のそれぞれのスイッチ部（１０１、１０２、１０３）に実行可能な機能の割り付けを行なう。ここで、実行可能な機能は、オーディオ機器４０１、・・・・・等の車載機器の制御モード、制御メニューの単一機能の任意割り付け、単一機能を同時一括動作させる一括操作割り付け（例えば、窓開操作の単一機能を４箇所の窓全部に機能させる一括操作、等）、異なる単一機能を時系列に組み合わせたシーケンシャル操作割り付け、階層化された制御モード、制御メニューの途中にある単一機能を直接操作するショートカット割り付け、等の種々の割り付けが可能である。
【００１６】
ステアリングスイッチＥＣＵ２００には、内部に、上記示した割り付け操作を行なうためのプログラムを記憶した記憶部を有する。このプログラムの実行により上記示した機能割付部２０１による種々の機能割り付けを行ない、ステアリングスイッチ１００のカスタマイズを行なうことができる。
【００１７】
（スイッチ装置１の動作）
図４に示すフローチャートに従ってスイッチ装置１の動作、すなわち、ステアリングスイッチ１００のスイッチ部（第１スイッチ部１０１、第２スイッチ部１０２、第３スイッチ部１０３）への機能割り付けについて説明する。
【００１８】
図２に示すように、ステアリングホイール３１の右側に配置されたステアリングスイッチ１００のスイッチ部を使用して、機能割り付けを行なう。ステアリングスイッチ１００の第１スイッチ部１０１は、設定ボタンとして機能すると共に上ボタンとして機能する。設定ボタンを長押しすることにより機能割り付けを行なうカスタマイズモードに入る。カスタマイズモード中では、モード選択時に表示されるモードを上方向にスクロール等させて表示変更するために使用される。また、第２スイッチ部１０２は、決定ボタンとして機能する。すなわち、カスタマイズモード中でモード選択後に押された場合はその選択されたモードを機能割り付けように決定する。また、第３スイッチ部１０３は、下ボタンとして機能する。すなわち、カスタマイズモード中では、モード選択時に表示されるモードを下方向にスクロール等させて表示変更するために使用される。
【００１９】
図４において、設定ボタン（第１スイッチ部１０１）が長押しされたかどうか、ステアリングスイッチＥＣＵ２００の機能割付部２０１で判断する（Ｓｔｅｐ１）。例えば、２秒以上長押しされた場合は、セッティングモードに入り、機能割り付け等のカスタマイズ可能な状態にする。このとき、図５（ａ）に示すように、コラム上ディスプレイ３００の表示部３０１には、「セッティングモード」の文字が表示される。
【００２０】
次に、上ボタン（第１スイッチ部１０１）または下ボタン（第３スイッチ部１０３）を押すことにより、モード選択を行なう。所望のモードが表示されるまで上記の操作を行なう。例えば、単一機能の割り付けを行なうシングルモードを選択する場合は、図５（ｂ）のように「シングル」の表示をさせる。この選択されたモードは決定ボタン（第２スイッチ部１０２）を押すことにより決定され、シングルモードに入る（Ｓｔｅｐ２）。シングルモードでない場合は、Ｓｔｅｐ１０へ進む。
【００２１】
シングルモードでは、上ボタン（第１スイッチ部１０１）または下ボタン（第３スイッチ部１０３）を押すことにより、機能リストを表示させる。例えば、オーディオ機器４０１の単一機能である、音量大、音量小、ミュート、ＣＤチェンジ、等の種々のシングルモードを表示できる（Ｓｔｅｐ３）。
【００２２】
ここで、決定ボタン（第２スイッチ部１０２）を押すことにより所望のシングルモードが決定される（Ｓｔｅｐ４）。この決定ボタンが押されると、次のＳｔｅｐ５に進む。
【００２３】
Ｓｔｅｐ５では、決定されたシングルモードをどのスイッチ部（第１スイッチ部１０１、第２スイッチ部１０２、第３スイッチ部１０３）に機能割付するかを選択する（Ｓｔｅｐ５）。このとき、機能割付するボタン１〜３（第１スイッチ部１０１、第２スイッチ部１０２、第３スイッチ部１０３）を選択するための表示が図５（ｃ）のように「ボタンセンタク」の表示がされる。
【００２４】
ここで、決定ボタン（第２スイッチ部１０２）を押すことにより所望のボタン１〜３（第１スイッチ部１０１、第２スイッチ部１０２、第３スイッチ部１０３）に所望のシングルモードが機能割付される（Ｓｔｅｐ６）。
【００２５】
上記のように機能割付されるシングルモードが、階層操作の途中段階でのモードである場合は、いわゆるショートカット機能として割り付られることになる。
【００２６】
Ｓｔｅｐ１０で、単一機能の一括操作の割り付けを行なうパラレルモードを選択されたか判断する。パラレルモードが選択され、決定された場合は、Ｓｔｅｐ３へ進み、機能リストから単一機能の表示、決定等の操作を同様に行なう（Ｓｔｅｐ３〜Ｓｔｅｐ６）。尚、パラレルモードは、単一機能の一括操作であるので、例えば、選択された単一機能が、「窓開操作」であれば、運転席、助手席、および後部窓が一括して開操作される「全窓オープン」モードが機能割付されることになる。
【００２７】
Ｓｔｅｐ１０でパラレルモードが選択されない場合は、Ｓｔｅｐ２０へ進む。Ｓｔｅｐ２０で、単一機能の順次操作の割り付けを行なうシーケンシャルモードを選択されたか判断する。
【００２８】
Ｓｔｅｐ２１において、シーケンシャルモードが選択される場合は、決定ボタン（第２スイッチ部１０２）は押されないので、Ｓｔｅｐ２２へ進む。決定ボタンが押された場合は、一旦機能割り付け操作が終了される。
【００２９】
シングルモードの場合と同様に、上ボタン（第１スイッチ部１０１）または下ボタン（第３スイッチ部１０３）を押すことにより、機能リストを表示させる。例えば、オーディオ機器４０１の単一機能である、音量大、音量小、ミュート、ＣＤチェンジ、等の種々のシングルモードを表示できる（Ｓｔｅｐ２２）。
【００３０】
Ｓｔｅｐ２３で決定ボタン（第２スイッチ部１０２）が押されると、Ｓｔｅｐ２２へ戻り、次に操作されるモードの選択を繰り返して行なう。選択されるモードは、他の車載機器のモードであってもよく、例えば、オーディオ機器４０１の「ミュート」の次に、「窓開操作」をシーケンシャルモードとして選択することも可能である。
【００３１】
Ｓｔｅｐ２２とＳｔｅｐ２３で一連のシーケンシャルモードを選択、決定したら、Ｓｔｅｐ２１で決定ボタン（第２スイッチ部１０２）を押す。すなわち、シーケンシャルモードにおいて、Ｓｔｅｐ２３とＳｔｅｐ２１で決定ボタンが連続して押されるとシーケンシャルモードを終了する。
【００３２】
以上の操作により、シングルモード（ショートカット機能を含む）、パラレルモード、シーケンシャルモードが、ボタン１〜３（第１スイッチ部１０１、第２スイッチ部１０２、第３スイッチ部１０３）に機能割り付けされる。
【００３３】
（割り付けされる機能例）
異なる単一機能を複数の一連動作として割り付けるシーケンシャルモードとしては、例えば、「ミュート」→「運転席窓開操作」→「フューエルリッド開」、「ＭＡＸエアコン」→「エアコンＡＵＴＯ」、「エアコンＯＦＦ」→「サンルーフ開」、「エアコンＯＦＦ」→「全窓オープン」等の種々のカスタマイズが可能である。
【００３４】
（本発明の実施の形態の効果）
本発明の実施の形態によれば、次のような効果を有する。
（１）ステアリングスイッチＥＣＵ２００による割り付け機能により、ステアリングスイッチ１００のそれぞれのスイッチ部に種々の実行可能な機能の割り付けを行なうことができる。特に、機能割り付けされるボタン１〜３（第１スイッチ部１０１、第２スイッチ部１０２、第３スイッチ部１０３）を用いて機能の割り付けを行なうので、簡単かつ直感的に操作でき、また、設定方法を覚えやすい。
（２）機能の割り付け操作は、コラム上ディスプレイのメニュー表示、リスト表示を見ながらできるので、例えば、センタークラスタディスプレイ等に表示されたメニュー等により操作する場合に比べて、操作が容易である。
（３）シングルモード（ショートカット機能を含む）、パラレルモード、シーケンシャルモードの種々の機能割り付けが可能となる。シーケンシャルモードにおいては、単一モードを組み合せることにより、特定の状況で使用する一連の操作をシーケンシャルモードとして割り付けることができる。例えば、ガソリンスタンドに到着した場合に次のような操作が可能である。ボタン１に機能割り付けされた機能により、ボタン１を押すことにより、「運転席窓開操作」→「パーキングブレーキ操作」→「シフトＰ位置へ」→「エンジンＯＦＦ」→「フューエルリッド開」→「ＩＧＮＯＦＦ」を一括して行なう。また、給油後には、ボタン２機能割り付けされた機能により、ボタン２押すことにより、「エンジンＯＮ」→「運転席窓閉作」→「パーキングブレーキ操作」→「シフトＤ置へ」を一括して行なうことができる。
【００３５】
尚、本発明は上記の実施の形態に限定されるものではなく、その要旨を逸脱しない範囲で種々の態様において実施することが可能である。
【図面の簡単な説明】
【００３６】
【図１】図１は、ステアリングスイッチを有する車両内部の斜視図である。
【図２】図２は、図１におけるステアリング付近を拡大した拡大図である。
【図３】図３は、本発明の実施の形態に係るスイッチ装置１の概略ブロック構成図である。
【図４】図４は、本発明の実施の形態に係るスイッチ装置１の動作を説明するためのフローチャートである。
【図５】図５は、ステアリングスイッチ１００の押下動作時のコラム上ディスプレイ３００上の表示部３０１の表示例を示す部分平面図である。
【符号の説明】
【００３７】
１…スイッチ装置、１０…車両、２０…ステアリングコラム、３０…ステアリング、３１…ステアリングホイール、１００…ステアリングスイッチ、１０１…第１スイッチ部、１０２…第２スイッチ部、１０３…第３スイッチ部、１０４…操作ボタン、１０４ａ…ＯＦＦ状態の位置、１０４ｂ…第１クリック位置、１０４ｃ…第２クリック位置、２００…ステアリングスイッチＥＣＵ、２０１…機能割付部、３００…コラム上ディスプレイ、３０１…表示部、４００…通信ライン、４０１…オーディオ機器、４０２…オートウインドウ装置、４０３…フューエルリッド開閉装置、４０４…カーナビゲーション、４０５…エアコン装置
【図１】
2010105610.tif 000003
【図２】
2010105610.tif 000004
【図３】
2010105610.tif 000005
【図４】
2010105610.tif 000006
【図５】
2010105610.tif 000007